(57)【要約】【課題】  確実な施錠を行うことができる管継手を提供することを目的とする。【解決手段】  雌型継手本体２２と雄型継手部材１４とを連結するための施錠部材２６と、保持部材３２からなる雌型継手部材である。保持部材３２は、施錠部材２６を施錠位置に保持するための施錠部材保持面５０を有している。施錠部材保持面５０は一端１６側よりも他端１８側が小径となっているため、雄型継手部材１４の外径の寸法公差が大きくても確実に安定した施錠を行うことができる。【選択図】        図１
2017082863.tif 000002
【特許請求の範囲】
【請求項１】
雄型継手部材に取り外し可能に連結される雌型継手部材であって、
雄型継手部材を受け入れる一端から他端に貫通する流体通路と、半径方向で貫通するように設けられた施錠部材保持孔とを有する雌型継手本体と、
該施錠部材保持孔内に設定され、該一端側から挿入される雄型継手部材と係合して該雌型継手部材に該雄型継手部材を連結する施錠位置と、該雄型継手部材から離れて雄型継手部材の該雌型継手部材との連結を解除する施錠解除位置との間で変位可能な施錠部材と、
該雌型継手本体の外周面を覆うように配置され、該施錠部材を該施錠位置に保持する保持位置と、該雄型継手部材によって該施錠部材が該施錠解除位置に変位するのを許容する変位許容位置との間で変位可能な保持部材と、を備え、
該施錠部材を該施錠位置に保持する該保持部材の施錠部材保持面が、該一端側よりも該他端側が小径となっている雌型継手部材。
【請求項２】
該施錠部材保持面が、異なる径からなる少なくとも２つの面とされている請求項１に記載の雌型継手部材。
【請求項３】
該施錠部材保持面が大径部と小径部とからなり、少なくとも大径部が雄型継手部材が挿入される挿入軸線と平行とされている請求項１又は２に記載の雌型継手部材。
【請求項４】
該雌型継手本体が、半径方向で貫通するように設けられたガイド部材保持孔と、該ガイド部材保持孔内に設定され、該雄型継手部材に係合して該雄型継手部材を挿入軸線方向でガイドするガイド位置と、該雄型継手部材から離れて該雄型継手部材の挿入及び離脱を許容するガイド解除位置との間で変位可能なガイド部材とを有する請求項１乃至３のいずれか一項に記載の雌型継手部材。
【請求項５】
該ガイド部材保持孔が、該施錠部材保持孔よりも該一端側に設けられている請求項４に記載の雌型継手部材。
【請求項６】
該保持部材が、該ガイド部材を該ガイド位置に保持するガイド部材保持面を有し、該ガイド部材保持面の径が、一端側よりも他端側が小径となっている請求項５に記載の雌型継手部材。
【請求項７】
請求項１乃至６のいずれか一項に記載の雌型継手部材を備える管継手。
【発明の詳細な説明】
【技術分野】
【０００１】
本発明は、雄型継手部材を連結保持する雌型継手部材及び該雌型継手部材を備える管継手に関する。
【背景技術】
【０００２】
パイプ状の雄型継手部材を受け入れ連結保持する雌型継手部材として、例えば特許文献１に示されるようなものがある。この種の管継手は、パイプを受け入れる筒体と、筒体に設けた孔内に設定されたロックボールとを備えており、ロックボールによって雄型継手部材を雌型継手部材内に連結するようになっている。
【先行技術文献】
【特許文献】
【０００３】
【特許文献１】実公平２−３７３５６
【発明の概要】
【発明が解決しようとする課題】
【０００４】
上述のような管継手においては、パイプ（雄型継手部材）の外径が精度よく形成されていることが前提となっており、寸法公差が大きいパイプに対しては、パイプの外径が公差の上限又は下限であった際に安定した連結を行うことができない場合があった。
【０００５】
本発明は、このような点に鑑み、寸法公差が大きいパイプに対しても確実で安定した連結を行うことができる雌型継手部材を提供することを目的としている。
【課題を解決するための手段】
【０００６】
すなわち、本発明は、
雄型継手部材に取り外し可能に連結される雌型継手部材であって、
雄型継手部材を受け入れる一端から他端に貫通する流体通路と、半径方向で貫通するように設けられた施錠部材保持孔とを有する雌型継手本体と、
該施錠部材保持孔内に設定され、該一端側から挿入される雄型継手部材と係合して該雌型継手部材に該雄型継手部材を連結する施錠位置と、該雄型継手部材から離れて雄型継手部材の該雌型継手部材との連結を解除する施錠解除位置との間で変位可能な施錠部材と、
該雌型継手本体の外周面を覆うように配置され、該施錠部材を該施錠位置に保持する保持位置と、該雄型継手部材によって該施錠部材が該施錠解除位置に変位するのを許容する変位許容位置との間で変位可能な保持部材と、を備え、
該施錠部材を該施錠位置に保持する該保持部材の施錠部材保持面が、該一端側よりも該他端側が小径となっている雌型継手部材を提供する。
【０００７】
当該雌型継手部材においては、施錠部材保持面の径が該一端側よりも該他端側を小径とされているため、雄型継手部材の外径に合わせた施錠部材保持面を利用して施錠部材を保持することができ、したがって確実で安定した連結を行うことができる。
【０００８】
好ましくは、該施錠部材保持面が、異なる径からなる少なくとも２つの面とされているようにすることができる。
【０００９】
好ましくは、該施錠部材保持面が大径部と小径部とからなり、少なくとも大径部が雄型継手部材が挿入される挿入軸線と平行とされているようにすることができる。
【００１０】
さらに好ましくは、該雌型継手本体が、半径方向で貫通するように設けられたガイド部材保持孔と、該ガイド部材保持孔内に設定され、該雄型継手部材に係合して該雄型継手部材を挿入軸線方向でガイドするガイド位置と、該雄型継手部材から離れて該雄型継手部材の挿入及び離脱を許容するガイド解除位置との間で変位可能なガイド部材とを有するようにすることができる。
【００１１】
さらに好ましくは、該ガイド部材保持孔が、該施錠部材保持孔よりも該一端側に設けられているようにすることができる。
【００１２】
さらに好ましくは、該保持部材が、該ガイド部材を該ガイド位置に保持するガイド部材保持面を有し、該ガイド部材保持面の径が、一端側よりも他端側が小径となっているようにすることができる。
【００１３】
ガイド部材によって雄型継手部材をガイドすることで、雌型継手部材と雄型継手部材との連結の安定性を更に高めることができる。
【００１４】
以下、本発明に係る管継手の実施形態を添付図面に基づき説明する。
【図面の簡単な説明】
【００１５】
【図１】本発明に係る管継手の非連結状態における断面図である。
【図２】本発明に係る雌型継手部材の保持部材の拡大図である。
【図３】本発明に係る管継手の、雄型継手部材の外径が寸法公差の下限付近とされている際の連結状態における断面図である。
【図４】本発明に係る管継手の、雄型継手部材の外径が寸法公差の上限付近とされている際の連結状態における断面図である。
【発明を実施するための形態】
【００１６】
本発明に係る管継手１０は、図１に示すように、互いに着脱可能に連結される雌型継手部材１２と雄型継手部材１４とからなる。
【００１７】
雌型継手部材１２は、雄型継手部材１４を受け入れる一端１６から他端１８に貫通する流体通路２０を有する雌型継手本体２２と、雌型継手本体２２に形成された施錠部材保持孔２４に配置された施錠部材２６と、施錠部材保持孔２４よりも一端１６側に形成されたガイド部材保持孔２８に配置されたガイド部材３０と、雌型継手本体２２の外周面を覆うように配置された保持部材３２と、保持部材３２を一端１６側へ付勢する第１スプリング３４とからなる。保持部材３２は、施錠部材２６によって変位許容位置に保持されている。また、流体通路２０を閉鎖させるための閉止部材３６が雌型継手部材の他端に接続されており、流体の漏洩を防止するためのＯリング３８及びパッキン４０を備えたスライドバルブ４２と、スライドバルブ４２を閉止部材３６から一端１６側へ付勢する第２スプリング４４とを閉止部材３６及び雌型継手本体２２の内側に配置している。
【００１８】
雄型継手部材１４は、施錠部材２６と係止して雌型継手部材１２との連結を行うための係止突起４６が形成された略パイプ状の部材とされている。
【００１９】
図２に示すように、雌型継手部材１２の保持部材３２には、施錠部材２６が施錠解除位置にある際に施錠部材２６を受け入れるための環状の凹部４８と、施錠部材２６が施錠位置にある際に施錠部材２６を施錠位置に保持する施錠部材保持面５０とが形成されている。施錠部材保持面５０は、挿入軸線Ｌと平行な大径部５０−１と小径部５０−２とから構成されている。保持部材３２には更に、ガイド部材３０がガイド解除位置にある際にガイド部材３０を受け入れるためのガイド部材受入部５２が形成されている。ガイド部材受入部５２のガイド部材保持面５４は、一端１６側から他端１８側へ向けて小径となるようにされている。
【００２０】
雌型継手部材１２と雄型継手部材１４との連結について、以下に詳述する。
【００２１】
雄型継手部材１４を雌型継手部材１２の一端１６から挿入すると、雄型継手部材１４の係止突起４６によってガイド部材３０が半径方向外側へ押し出されガイド解除位置となり、雄型継手部材１４が雌型継手部材１２内に挿入される。更に雄型継手部材１４を挿入すると、雄型継手部材１４の先端がスライドバルブ４２のパッキン４０と係合し、これによって雄型継手部材１４と雌型継手部材１２とが密封係合される。第２スプリング４４の付勢力に抗して更に雄型継手部材１４を挿入すると、スライドバルブ４２が他端１８側へ変位し、それにともないスライドバルブ４２による施錠部材２６の半径方向内側からの支えがなくなり、施錠部材２６が半径方向内側へ変位し、かつ保持部材３２が保持位置へ変位する。このとき施錠部材２６は、雄型継手部材１４の係止突起４６と係合し、かつ保持部材３２の施錠部材保持面５０によって半径方向外側から保持されているため、雌型継手部材１２と雄型継手部材１４との連結が行われる。このときガイド部材３０は、雄型継手部材１４、雌型継手本体２２及び保持部材３２と係合し、雄型継手部材１４を挿入軸線Ｌの方向でガイドをするガイド位置となっており、連結状態における雌型継手部材１２と雄型継手部材１４との挿入軸線Ｌに対する傾きを抑えるようになっている。
【００２２】
雌型継手部材１２と雄型継手部材１４との連結は確実かつ安定して行われなければならない。しかし、パイプ状の雄型継手部材１４においては、一般的にその外径の寸法公差が小さくない。そのため、本発明では、施錠部材保持面５０に大径部５０−１と小径部５０−２とを形成している。すなわち、図３に示すように、雄型継手部材１４の外径が寸法公差の下限付近とされている場合は、施錠部材保持面５０の小径部５０−２が施錠部材２６を半径方向外側から保持するようになっている。また、図４に示すように、雄型継手部材１４の外径が寸法公差の上限付近とされている場合は、施錠部材保持面５０の大径部５０−１が施錠部材２６を半径方向外側から保持するようになっている。このようにすることで、雌型継手部材１２と雄型継手部材１４との連結が確実かつ安定して行われるようになっている。
【００２３】
また、保持部材３２のガイド部材保持面５４が一端１６側から他端１８側へ向けて小径となっているため、施錠部材保持面５０と同様に、雄型継手部材１４の外径の寸法公差に対して柔軟に対応し、安定したガイドを行えるようになっている。このとき、ガイド部材保持面５４の傾斜角度を施錠部材保持面５０の挿入軸線Ｌ方向の位置と整合を取って設定することで、より効果的な連結及びガイドが行えるようになる。すなわち、ガイド部材保持面５４のどの位置でガイド部材を保持するかによって、施錠部材保持面５０の大径部５０−１又は小径部５０−２のどちらで施錠部材を保持するかを選択できるようにすることができる。そのようにすることで、雄型継手部材の連結及びガイドを、より確実かつ安定して行えるようにすることができる。
【００２４】
本実施例においては、施錠部材保持面５０は大径部５０−１と小径部５０−２とから形成されているが、段ではなく一端側から他端側へ向かって小径となるようにしてもよい。また、雌型継手本体の他端には、閉止部材ではなく流体が流れる配管を接続してもよい。
【符号の説明】
【００２５】
管継手１０；雌型継手部材１２；雄型継手部材１４；一端１６；他端１８；流体通路２０；雌型継手本体２２；施錠部材保持孔２４；施錠部材２６；ガイド部材保持孔２８；ガイド部材３０；保持部材３２；第１スプリング３４；閉止部材３６；Ｏリング３８；パッキン４０；スライドバルブ４２；第２スプリング４４；係止突起４６；凹部４８；施錠部材保持面５０；大径部５０−１；小径部５０−２；ガイド部材受入部５２；ガイド部材保持面５４；挿入軸線Ｌ
【図１】
2017082863.tif 000003
【図２】
2017082863.tif 000004
【図３】
2017082863.tif 000005
【図４】
2017082863.tif 000006